(57)【要約】      （修正有）【課題】東洋占星術及び西洋占星術を個別に用いた場合よりも、より詳細に対象者の運気を観ることを可能にする占星術用占具を提供する。【解決手段】本実施形態の占星術用占具は、宿命数規定盤、第１のタイプ規定盤１２、第１のタイプ盤、バイオリズム盤及びホロスコープ盤を有する。第１のタイプ盤は、生年月日を基に割り当てられた東洋占星術の１２個の第１のタイプのそれぞれについて規定されている。第２のタイプ盤は、第１のタイプ盤で規定された前記１２個の第１のタイプのそれぞれについて生年月日を基に割り当てられた西洋占星術の１２個の第２のタイプが規定されている。【選択図】図２
0003233560.tif 000002
【実用新案登録請求の範囲】
【請求項１】
生年月日を基に割り当てられた東洋占星術の１２個の第１のタイプを規定する第１のタイプ盤と、
前記第１のタイプ盤で規定された前記１２個の第１のタイプのそれぞれについて生年月日を基に割り当てられた西洋占星術の１２個の第２のタイプを規定する第２のタイプ盤と、
前記第１のタイプ盤で規定された前記１２個の第１のタイプのそれぞれについて規定されたバイオリズム盤と、
を有する占星術用占具。
【請求項２】
生年月と宿命数との対応関係を示す第１の表盤と、
前記宿命数と、西暦の前記生年の奇数及び偶数と、前記１２個の第１のタイプとの対応関係を示す第２の表盤と
をさらに有する請求項１に記載の占星術用占具。
【請求項３】
前記第１のタイプ盤２１内に、対応する前記第１のタイプを説明するためのタイプ説明欄と、当該第１のタイプに対応する前記第２のタイプ盤とを有する
請求項１又は請求項２に記載の占星術用占具。
【請求項４】
生年月日時刻及び出生地を基に規定されたホロスコープ盤
をさらに有する請求項１〜３のいずれかに記載の占星術用占具。
【考案の詳細な説明】
【技術分野】
【０００１】
本考案は、占星術用占具に関する。
【背景技術】
【０００２】
占星学は、自分を知ること、人間を知るための古代からの知恵の詰まったツールのことである。
また、運気を見ることができるので、
・動くタイミング、
・準備するタイミング
・切り替わるタイミング、
・収穫のタイミング
を事前に知ることができ、自分の夢や希望が実現しやすくなる。
【０００３】
西洋占星学とは、astorologyといい、星の伝えることを科学的に考察するという学問です。4500年前も昔から政治や、個人の資質を見るために、取り入れられて来ました。占星学では、天体の動きが地上のあらゆる現象に影響を与えている、という考えを基に、物事が始まった瞬間（人であれば、生まれた瞬間）の天体配置から、その事柄の性質や行く末を考える学問です。発祥の西アジア、ヨーロッパの民族が非常に合理的であるように、ホロスコープは、論理性に優れ統計的にも信頼性の強い手法です。
【０００４】
東洋占星学は、西洋から来た西洋占星術を元に、東洋式として独自の発展を遂げて来ました。西洋と東洋では、自然に関する考えが多少変わる。
【考案の開示】
【考案が解決しようとする課題】
【０００５】
しかし、対象者の属性に応じて、さらに詳細に運気を観たいという要請がある。
【０００６】
上述した従来技術の問題点を解決し、上述した目的を達成するため、東洋占星術及び西洋占星術を個別に用いた場合よりも、より詳細に対象者の運気を観ることを可能にする占星術用占具を提供することを目的とする。
【課題を解決するための手段】
【０００７】
本考案の占星術用占具は、生年月日を基に割り当てられた東洋占星術の１２個の第１のタイプを規定する第１のタイプ盤と、前記第１のタイプ盤で規定された前記１２個の第１のタイプのそれぞれについて生年月日を基に割り当てられた西洋占星術の１２個の第２のタイプを規定する第２のタイプ盤と、前記第１のタイプ盤で規定された前記１２個の第１のタイプのそれぞれについて規定されたバイオリズム盤と、を有する。
【０００８】
好適には、生年月と宿命数との対応関係を示す第１の表盤と、前記宿命数と、西暦の前記生年の奇数及び偶数と、前記１２個の第１のタイプとの対応関係を示す第２の表盤とをさらに有する。
【０００９】
好適には、前記第１のタイプ盤２１内に、対応する前記第１のタイプを説明するためのタイプ説明欄と、当該第１のタイプに対応する前記第２のタイプ盤とを有する。
【００１０】
好適には、生年月日時刻及び出生地を基に規定されたホロスコープ盤をさらに有する。
【考案の効果】
【００１１】
本考案によれば、東洋占星術及び西洋占星術を個別に用いた場合よりも、より詳細に対象者の運気を観ることを可能にする占星術用占具を提供することができる。。
【図面の簡単な説明】
【００１２】
【図１】図１は、本発明の実施形態に係る宿命数規定盤を説明するための図である。
【図２】図２は、第１のタイプ規定盤を説明するための図である。
【図３】図３は、東洋占星術の１２個の第１のタイプのそれぞれについて規定された第１のタイプ盤２１を説明するための図である。
【図４】図４は、バイオリズム盤４１を説明するための図である。
【図５】図５は、図４に示すバイオリズム盤４１に、特定の生年月日の対象者の情報を割り当てた図である。
【図６】図６は、ホロスコープ盤５１を説明するための図である。
【図７】図７は、ホロスコープ盤５１を説明するための図である。
【考案を実施するための最良の形態】
【００１３】
以下、本考案の実施形態に係る占星術用占具を、図面を参照しながら説明する。
本実施形態の占星術用占具は、西洋占星学と東洋占星学との二つの占術を組み合わせて、アセスメントとして使用する。
このような人類４５００年の知恵を今を生きる私に、最大限活かして、本当に自分らしく生きること、そして、思うだけでなく、行動することで、願いを実現させる。
【００１４】
この２つのことが、占星学を取り入れることで、叶えられやすくなる。
《キャリアデザイン×占星学で取り扱う分野》
・仕事について（適性と天職、就職、転職、起業、パラレルキャリアのスタイル）
・プライベートについて（恋愛、相性、婚活、結婚）
・お金（稼ぎ方、運用の仕方、）
・人間関係、家族関係
・健康
・運気
【００１５】
「１２年の運勢と、準備する時期、行動する時期、切り替わりの時期、収穫の時期」の情報から、あなたのライフ＆キャリアデザインを具体的に立てる。現在から３年間、長期的には１２年間である。
【００１６】
占いを単なる当たる、当たらないではなく、キャリアを作っていく上、自分を知るための１つとして占星学を使う。
西洋占星学のホロスコープ（生まれた時の星の様子）と東洋占星学のバイオリズム（運気）を組み合わせ、その方の運の流れ、人生の傾向、適職、才能、持ち味、コミュニケーション、幸運の在りか、人生の中での節目、注意点などを見ていく。
【００１７】
本実施形態の占星術用占具は、宿命数規定盤１１、第１のタイプ規定盤１２、第１のタイプ盤２１、バイオリズム盤４１及びホロスコープ盤５１を有する。
【００１８】
図１は、宿命数規定盤１１を説明するための図である。図２は、第１のタイプ規定盤１２を説明するための図である。
宿命数規定盤１１は、生年月と宿命数との対応関係を示す。
第１のタイプ規定盤１２は、図１で規定した宿命数と、西暦の前記生年の奇数及び偶数と、１２個の第１のタイプとの対応関係を示す。
【００１９】
図３は、東洋占星術の１２個の第１のタイプのそれぞれについて規定された第１のタイプ盤２１を説明するための図である。
第１のタイプ盤２１には、対応する第１のタイプを説明するためのタイプ説明欄３１と、第２のタイプ盤２３とが設けられている。
【００２０】
第１のタイプ盤２１は、生年月日を基に割り当てられた東洋占星術の１２個の第１のタイプのそれぞれについて規定されている。
第２のタイプ盤２３は、第１のタイプ盤２１で規定された前記１２個の第１のタイプのそれぞれについて生年月日を基に割り当てられた西洋占星術の１２個の第２のタイプが規定されている。
【００２１】
図４は、バイオリズム盤４１を説明するための図である。図５は、図４に示すバイオリズム盤４１に、特定の生年月日の対象者の情報を割り当てた図である。
バイオリズム盤４１は、第１のタイプ盤２１で規定された前記１２個の第１のタイプのそれぞれについて規定されたバイオリズム盤である。
【００２２】
図６は、ホロスコープ盤５１を説明するための図である。
ホロスコープ盤５１は、生年月日時刻及び出生地を基に規定されたホロスコープ盤の一例である。
【００２３】
例えば、上述した本実施形態の占星術用占具を用いて占いをすることで、対象者について以下の情報が得られる。
基本項目
◆内面の傾向（性格・考え方・価値観の特性）
火  情熱的、主張・熱意    （）点    
地  保守的、安定・地道    （）点
風  思考的、知識・情報    （）点
水  感受性、気持・雰囲気   （）点
→（コメント）
◆外面の傾向（行動パターンの特性）
C行動する    （）点
F守る        （）点
M柔軟性      （）点
→（コメント）
〇運勢の特徴
（コメント）
【００２４】
◆太陽（人生の目的）・・（）
（コメント）
◆月・・（）
（コメント）
〇仕事傾向  
（コメント）
〇得意なやり方と気をつけること
◆得意なやり方：
（コメント）
◆課題：
（コメント）
２０２１年年の傾向  
（コメント）
２０２１年のテーマ： 
１２年サイクル
【００２５】
以下、本実施形態の占星術用占具の使い方を説明する。
対象者の生年月から、図１に示す宿命数規定盤１１を用いて宿命数を特定する。
【００２６】
次に、対象者について、上記特定した宿命数と、当該対象者の生年（西暦）の奇数・偶数とを基に、図２に示す第１のタイプ規定盤１２を使って、第１のタイプを特定する。
【００２７】
当該特定した第１のタイプについての図３に示す第１のタイプ盤２１を特定する。
【００２８】
次に、上記特定した第１のタイプ盤２１内にある第２のタイプ盤２３のなかから、当該対象者の星座に対応する項目を特定する。
【００２９】
また、上記特定した第１のタイプに対応するバイオリズム盤４１を特定する。
【００３０】
また、対象者の生年月日時、出生地を基に、当該対象者の図６に示すホロスコープ盤５１を作成する。
【００３１】
そして、対象者の第１のタイプ盤２１内の第２のタイプ盤２３及びタイプ説明欄３１、バイオリズム盤４１及びホロスコープ盤５１を基に、東洋占星術と西洋占星術とを組み合わせた視点で対象者の運気を知ることができる。
これにより、例えば仕事について適性と天職、就職、転職、起業、パラレルキャリアのスタイル等を知ることができる場合がある。
【００３２】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【産業上の利用可能性】
【００３３】
本考案は、例えば、占星術用占具に適用可能である。
【符号の説明】
【００３４】
１１…宿命数規定盤
１２…第１のタイプ規定盤
２１…第１のタイプ盤
２３…第２のタイプ盤
４１…バイオリズム盤
５１…ホロスコープ盤
【図１】
0003233560.tif 000003
【図２】
0003233560.tif 000004
【図３】
0003233560.tif 000005
【図４】
0003233560.tif 000006
【図５】
0003233560.tif 000007
【図６】
0003233560.tif 000008
【図７】
0003233560.tif 000009